Podtech/llm-jp-corpus-v4-ja_patent huggingface dataset:
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
ビット線のペアと、
キャパシタと、
負ブースト信号のアサートに応じてネガティブビット線ブースト動作を開始するために前記キャパシタの端子をグランドに結合し、かつブーストトラック信号のアサートに応じて前記ネガティブビット線ブースト動作を終了するために前記端子をフローティングさせるための第1の手段と、
メモリセルへの書込み動作をモデル化するための第2の手段であって、前記書込み動作の完了に応じてダミーメモリセル出力信号におけるバイナリ遷移を生じさせるように構成される、第2の手段と、
前記ダミーメモリセル出力信号における前記バイナリ遷移に応じて前記ブーストトラック信号をアサートするための第3の手段と
を備える、メモリ。
【請求項２】
前記メモリセルは、スタティックランダムアクセスメモリ(SRAM)セルである、請求項1に記載のメモリ。
【請求項３】
前記第3の手段は、ワード線リセット信号のアサートに応じて前記ブーストトラック信号を電源電圧まで充電するようにさらに構成される、請求項2に記載のメモリ。
【請求項４】
前記第3の手段は、前記ブーストトラック信号をラッチするように構成されるラッチを含む、請求項3に記載のメモリ。
【請求項５】
前記第1の手段は、書込み支援回路であって、
前記ビット線のペアにおける放電されたビット線に対してネガティブビット線ブーストを提供するためのネガティブビット線ブースト端子に結合される第1の端子(カソード)を有する前記キャパシタと、
前記キャパシタの第2の端子(アノード)に結合される出力を有し、かつグランド端子を有する第1のインバータと、
前記グランド端子とグランドとの間に結合されるスイッチであって、前記キャパシタの前記第2の端子をフローティングさせて前記放電されたビット線への前記ネガティブビット線ブーストを終了させるために、前記ブーストトラック信号のアサートに応じてオフに切り替わるように構成される、スイッチと
を含む、書込み支援回路を備え、
前記第2の手段は、アクセストランジスタのペアを通して前記ビット線のペアに結合されるメモリセルへの書込み動作を電気的にモデル化するように構成される少なくとも1つのダミーメモリセルであり、
前記第3の手段は、前記少なくとも1つのダミーメモリセルへの前記モデル化された書込み動作の完了に応じて前記ブーストトラック信号をアサートするように構成される書込み検出回路である、
請求項1に記載のメモリ。
【請求項６】
前記アクセストランジスタの各々についてゲートを駆動するように構成されるワード線と、
前記ビット線のペアを電気的にモデル化するように構成されるダミービット線のペアと、
前記メモリワード線に関するワード線展開時間を電気的にモデル化するように構成されるダミーワード線であって、前記少なくとも1つのダミーメモリセルが、ゲートが前記ダミーワード線によって駆動され、かつ前記ダミーメモリセルを前記ダミービット線のペアに結合するように構成されるダミーアクセストランジスタのペアを含む、ダミーワード線と
をさらに備える、請求項5に記載のメモリ。
【請求項７】
前記ダミーメモリセルは交差結合インバータのペアを含み、前記交差結合インバータの一方はダミーメモリセル出力信号を駆動するように構成され、前記書込み検出信号は、前記ダミーメモリセル出力信号のバイナリ遷移に応じて前記ブーストトラック信号をアサートするように構成される、請求項5に記載のメモリ。
【請求項８】
前記書込み検出回路は、前記ダミーメモリセル出力信号の遅延バージョンおよび補ダミーメモリセル出力信号の遅延バージョンを出力するように構成されるインバータの直列チェーンを含む、請求項7に記載のメモリ。
【請求項９】
前記書込み検出回路は、ワード線リセット信号のアサートに応じて前記ブーストトラック信号を電源電圧まで充電するように構成される、請求項7に記載のメモリ。
【請求項１０】
前記ラッチは、スイッチに結合されるラッチグランド端子を有するインバータを含み、前記スイッチが、前記ワード線リセット信号のアサートに応じて前記ラッチグランド端子をグランドに結合するように構成される、請求項9に記載のメモリ。
【請求項１１】
前記ブーストトラック信号はアクティブロー信号であり、前記書込み検出信号は、アサート中に前記ブーストトラック信号を接地させるように構成される、請求項5に記載のメモリ。
【請求項１２】
ビット線のペアを通してアクセスされるメモリセルへの書込み動作の間に、前記ビット線のうちの放電されたビット線に関するネガティブビット線ブースト動作を開始するために、前記放電されたビット線を充電されたキャパシタの第1の端子に結合する一方、前記充電されたキャパシタの第2の端子をグランドに結合するステップと、
前記メモリセルへの前記書込み動作の開始に応じて、少なくとも1つのダミーメモリセルへの書込み動作がいつ完了したかを判定するステップと、
前記少なくとも1つのダミーメモリセルへの前記書込み動作が完了したとの判定に応じて、前記ネガティブビット線ブースト動作を終了させるために前記第2のキャパシタ端子をフローティングさせるステップと
を含む、方法。
【請求項１３】
前記書込み動作がいつ完了したかを判定するステップは、ダミービット線のペア間に並列に結合される複数のダミーメモリセルを使用する、請求項12に記載の方法。
【請求項１４】
前記キャパシタの前記第2の端子をフローティングさせるステップは、前記キャパシタの前記第2の端子に結合されるインバータ用のグランドからグランド端子を分離するステップを含む、請求項12に記載の方法。
【請求項１５】
前記少なくとも1つのダミーメモリセルへの前記書込み動作がいつ完了したかを判定するステップは、
ダミーワード線を使用してワード線展開期間をモデル化するステップか、
前記ダミービット線のペアを前記ビット線のペア用の容量性負荷と一致するようにロードするステップか、または
少なくとも1つのダミーメモリセルからのダミーメモリ出力信号におけるバイナリ遷移を検出するステップ
を含む、請求項12に記載の方法。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
アクティビティの関数としての夜間グルコースレベル変化間の相関を決定するための方法であって、
第１の期間及び第２の期間を含む所定の期間にわたり、グルコースデータを受信するステップ；
前記第１の期間が前記所定の期間内の有意なアクティビティを有する日についての夜間グルコースレベル情報を含むように、かつ、前記第２の期間が前記所定の期間内の有意なアクティビティを有しない日についての夜間グルコースレベル情報を含むように、分類するステップ；
前記アクティビティの関数としての前記第１及び第２の期間についての前記夜間グルコースレベル間の相関を決定するステップ；及び
前記決定された相関に基づいて、測定されたアクティビティ・レベルに基づいた夜間グルコースレベルにおける影響を決定するステップ
を含む、方法。
【請求項２】
前記有意なアクティビティを有する日が所定の閾値を超えるアクティビティ・メトリックを有する日を含み、さらに、前記有意なアクティビティを有しない日が、前記所定の閾値未満のアクティビティ・メトリックを有する日を含むことを特徴とする、請求項１に記載の方法。
【請求項３】
前記アクティビティ・メトリックが、２４時間の間に消費したカロリー量を含むことを特徴とする、請求項２に記載の方法。
【請求項４】
前記アクティビティ・メトリックが、２４時間の間に記録された歩数を含むことを特徴とする、請求項２に記載の方法。
【請求項５】
前記アクティビティ・メトリックが、アクティビティの持続期間、アクティビティの強度レベル、標高を含めたアクティビティの位置、アクティビティ中の移動距離、又はアクティビティのタイプのうちの１つ以上を含むことを特徴とする、請求項２に記載の方法。
【請求項６】
前記第１の期間を分類するステップが、前記有意なアクティビティを有する日のうちの対応する１日についての前記夜間グルコースレベル情報に各々関連する複数の第１のメトリックを生成するステップ、及び有意なアクティビティを有しないすべての日についての前記夜間グルコースレベル情報に関連する第２のメトリックを生成するステップを含むことを特徴とする、請求項１に記載の方法。
【請求項７】
前記アクティビティの関数としての前記第１及び第２の期間についての前記夜間グルコースレベル間の前記相関を決定するステップが、前記生成された第２のメトリックを用いて前記複数の第１のメトリックの各々を修正して、対応する修正された複数の第１のメトリックを生成するステップを含むことを特徴とする、請求項６に記載の方法。
【請求項８】
前記相関を決定するステップが、前記対応するアクティビティ・レベルを用いて前記修正された複数の第１のメトリックの各々の間の関連を特定するステップを含むことを特徴とする、請求項７に記載の方法。
【請求項９】
ユーザインタフェース上に、前記夜間グルコースレベルにおける前記決定された影響に関連する情報を出力するステップをさらに含むことを特徴とする、請求項１に記載の方法。
【請求項１０】
前記出力された情報が、前記測定されたアクティビティ・レベルに対応するグルコースレベル低下量を含むことを特徴とする、請求項９に記載の方法。
【請求項１１】
グルコースデータを受信するステップが、グルコースセンサによってモニタされたグルコースレベルに対応する信号を生成するステップを含むことを特徴とする、請求項１に記載の方法。
【請求項１２】
前記グルコースセンサが、真皮液（dermal fluid）に由来する前記モニタされたグルコースレベルに対応する信号を生成することを特徴とする、請求項１１に記載の方法。
【請求項１３】
前記グルコースセンサが、間質液に由来する前記モニタされたグルコースレベルに対応する信号を生成することを特徴とする、請求項１１に記載の方法。
【請求項１４】
前記グルコースセンサが、作用電極を含む複数の電極を備えており、前記作用電極が、該作用電極上に配置されたポリマーに結合した検体応答性酵素を含んでいることを特徴とする、請求項１１に記載の方法。
【請求項１５】
前記検体応答性酵素が、前記作用電極上に配置された前記ポリマーに化学的に結合されることを特徴とする、請求項１４に記載の方法。
【請求項１６】
前記作用電極が、該作用電極上に配置された前記ポリマーに結合したメディエータを備えていることを特徴とする、請求項１４に記載の方法。
【請求項１７】
前記メディエータが、前記作用電極上に配置された前記ポリマーと架橋していることを特徴とする、請求項１６に記載の方法。
【請求項１８】
前記グルコースセンサが、前記作用電極上に配置されたポリマーに結合したメディエータを備えた作用電極を含む、複数の電極を備えていることを特徴とする、請求項１１に記載の方法。
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
コンピュータに実装される画像処理エンジンを用いて電子的に読取可能な媒体に記憶された画像を縮小する方法であって、
第１の解像度で第１の画像サイズを確立する第１の組の画素によって定義される第１の画像を受信するステップであって、前記第１の画像はコンピュータ読取可能な媒体で表現される、ステップと、
第２の画像を形成するために、前記第１の画像を縮小することによって、第２の解像度で第２の画像サイズを確立する第２の組の画素によって定義される前記第２の画像を生成するステップであって、前記第２の画像は前記コンピュータ読取可能な媒体で表現され、前記第２の組の画素の値は、前記第１の組の画素の関数によって定義され、前記第２の画像サイズは、第１の画像サイズよりも小さい、ステップと、
前記第２の画像を第３の画像に拡大するステップであって、前記第３の画像は前記コンピュータ読取可能な媒体で表現され、前記第３の画像は、第３の解像度を伴って、前記第１の画像サイズと同じ第３の画像サイズを確立する前記第２の組の画素から導出された第３の組の画素によって定義される、ステップと、
前記第２の画像の個々の画素を前記第３の組の画素からの対応する画素群と関連付けるステップと、
第１の画像サンプルを生成するために、前記第１の組の画素の第１の位置で第１の画像領域サイズを有する前記第１の画像の第１の画像領域をサンプリングするステップであって、前記第１の組の画素の前記第１の位置は前記第１の画像サイズより小さい前記第１の画像のパッチを有する、ステップと、
第２の画像サンプルを生成するために、前記第１の画像領域の前記第１の位置及び前記第１の画像領域サイズに対応する前記第３の組の画素の第２の画像領域をサンプリングするステップであって、前記第２の画像サンプルは複数のパッチを有する第３の画像のサンプルであり、前記複数のパッチの各パッチの画素は他のパッチの画素とは独立に前記コンピュータに実装される画像処理エンジンにより最適化されることが可能である、ステップと、
知覚画像値を生成するために、前記第１の画像サンプル及び前記第２の画像サンプルを処理することによって、前記第１の画像の前記第１の画像領域と前記第３の組の画素の前記第２の画像領域との間の類似度を測定するステップと、
画像知覚値が事前定義された閾値内の知覚基準値に一致するまで、前記第３の組の画素の値を再帰的に調整するステップと、
前記第２の画像の個々の画素値を、前記対応する画素群の各々の代表画素値に調整するステップと、
前記コンピュータ読取可能な媒体に前記第２の画像として前記個々の画素値を記憶するステップと、を含む、方法。
【請求項２】
前記第１の画像の電子的に読み取り可能な表現を受信するための入力、及び前記第２の画像の電子的に読み取り可能な表現を出力するための出力を有するコンピュータシステムと、前記方法に従って、画像データを処理するためのメモリ内に記憶されたプログラム命令を備えたプロセッサと、を使用して実装される、請求項１に記載の方法。
【請求項３】
前記第２の画像領域をサンプリングするステップは、重複しないパッチをサンプリングするステップを含み、前記第２の画像領域をサンプリングするステップは、輝度、コントラスト及び共分散に対応する構成要素を掛け合わせることによって計算される構造類似性指標を使用する、請求項１に記載の方法。
【請求項４】
前記第２の画像の個々の画素値を調整するステップは、
平均及び分散を任意の固定値に固定することによりパラメータ化された解を計算するステップと、
最適化された指標値を特定するために、前記任意の固定値を使用して前記構造類似性指標を最適化するステップと、
大域的最適化指標値を特定するために、異なる平均及び分散に対して前記最適化された指標値を計算するステップと、
を含む、請求項３に記載の方法。
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
エージェントタスク割り当てを多次元ルーティングするための方法であって、
顧客関係管理（ＣＲＭ）システム内の消費者との連絡にそれぞれ関連する複数のタスクを受信することと、
前記複数のタスクを処理するための複数の対応可能なエージェントを特定することと、
１組の基準に基づいて、前記複数のタスク内の各タスクに対して、前記複数の対応可能なエージェント内の各エージェントを採点することとを含み、前記１組の基準は、複数の基準を含み、各基準は、前記タスクをルーティングする時に考慮すべき異なる要素を表し、
各タスクに対する各エージェントの得点に基づいて、前記複数のタスク内の各タスクにエージェントを割り当てることを含む、方法。
【請求項２】
前記複数のタスクを受信する前に、
スキルに関連する１つ以上の基準とスキル以外の要素に関連する１つ以上の基準とを含む前記１組の基準内の各基準を定義することと、
前記１組の基準内の各基準に重みを割り当てることとをさらに含み、前記重みは、前記１組の基準内の他の基準に対する、前記ＣＲＭシステムにおける当該基準の重要度を示す、請求項１に記載の方法。
【請求項３】
前記タスクは、前記ＣＲＭシステムに対する消費者からの連絡を受信することと、前記ＣＲＭシステムから消費者への連絡を発信することとを含む、請求項１または２に記載の方法。
【請求項４】
前記採点することは、エージェントとタスクとの多次元グリッドを定義することを含み、前記複数の対応可能なエージェント内の各エージェントは、前記グリッド内の各エージェントノードを構成し、前記複数のタスク内の各タスクは、前記グリッドのタスクノードを構成し、
前記採点することは、
前記グリッド内の各エージェントノードと前記グリッド内の各タスクノードとの間を接続することと、
前記グリッド内の各接続上の前記１組の基準内の各基準に対する重み付け得点を決定することと、
前記グリッド内の各接続上の前記１組の基準の合計得点を決定することとをさらに含み、各接続の前記合計得点は、前記グリッドのその接続上の前記１組の基準内の各基準に対する重み付け得点の合計である、請求項２に記載の方法。
【請求項５】
各タスクに対する各エージェントの得点に基づいて、前記複数のタスク内の各タスクにエージェントを割り当てることは、タスクに対して、前記１組の基準の最高の合計得点を有する前記グリッドの接続上のエージェントに当該タスクを割り当てることを含む、請求項４に記載の方法。
【請求項６】
前記複数の対応可能なエージェントに割り当てられた各タスクの結果を追跡することをさらに含む、請求項１〜５のいずれか１項に記載の方法。
【請求項７】
前記複数の対応可能なエージェントに割り当てられた各タスクの結果を追跡することに基づいて、前記複数の基準のうち１つ以上の基準に関連する解析データを提供することをさらに含む、請求項６に記載の方法。
【請求項８】
システムであって、
プロセッサと、
前記プロセッサに連結され、前記プロセッサによって読取可能なメモリとを備え、前記メモリは、命令セットを格納し、これらの命令は、前記プロセッサによって実行されると、
顧客関係管理（ＣＲＭ）システム内の消費者との連絡にそれぞれ関連する複数のタスクを受信することと、
前記複数のタスクを処理するための複数の対応可能なエージェントを特定することと、
１組の基準に基づいて、前記複数のタスク内の各タスクに対して、前記複数の対応可能なエージェント内の各エージェントを採点することとを行い、前記１組の基準は、複数の基準を含み、各基準は、前記タスクをルーティングする時に考慮すべき異なる要素を表し、
各タスクに対する各エージェントの得点に基づいて、前記複数のタスク内の各タスクにエージェントを割り当てることを行うことによって、
前記プロセッサに、エージェントタスク割り当ての多次元ルーティングを実行させる、システム。
【請求項９】
請求項１〜７のいずれか１項に記載の方法をプロセッサに実行させるためのコンピュータ読み取り可能なプログラム。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
脈管内処置をシミュレーションする方法であって、前記方法は、
コンピューティングデバイスから当該コンピューティングデバイスと通信するディスプレイデバイスに、血管を表す第１のデータの視覚的表現を出力するステップと、
前記コンピューティングデバイスを使用して、血管を表す第２のデータを決定するステップであって、前記第１のデータと前記第２のデータとが、血管のための第１の治療的介入を決定するために使用されることが可能である、ステップと、
前記コンピューティングデバイスと通信する入力デバイスにおいて、血管を表す第３のデータを選択するユーザー入力を受信するステップと、
前記コンピューティングデバイスを使用して、前記第２のデータと前記第３のデータとを比較するステップと、
前記コンピューティングデバイスから前記ディスプレイデバイスに、前記第２のデータと前記第３のデータとの比較の視覚的表現を出力するステップと、を有し、
前記コンピューティングデバイスは、どの追加的なデータを収集するか、どの手当てを行うかについて質問することにより前記脈管内処置を通してユーザーを導き、前記ユーザーの応答に対する肯定的及び／又は否定的なフィードバックを提供する、教育モジュールを含む、方法。
【請求項２】
脈管内処置をシミュレーションするためのシステムであって、前記システムは、
血管に関係する視覚的表現を表示するディスプレイデバイスと、
血管に関係するユーザー入力を受信する入力デバイスと、
前記ディスプレイデバイス及び前記入力デバイスと通信するコンピューティングデバイスとを含み、前記コンピューティングデバイスは、
どの追加的なデータを収集するか、どの手当てを行うかについて質問することにより前記脈管内処置を通してユーザーを導き、前記ユーザーの応答に対する肯定的及び／又は否定的なフィードバックを提供する、教育モジュールを含み、
前記コンピューティングデバイスは、
前記ディスプレイデバイスに、血管を表す第１のデータの視覚的表現を出力することと、
血管を表す第２のデータを決定することであって、前記第１のデータと前記第２のデータとが血管のための第１の治療的介入を決定するために使用されることが可能な、決定することと、
前記入力デバイスから、血管を表す第３のデータを選択するユーザー入力に基づく信号を受信することと、
前記第２のデータと前記第３のデータとを比較することと、
前記ディスプレイデバイスに、前記第２のデータと前記第３のデータとの比較の視覚的表現を出力することと、を行う、システム。
【請求項３】
前記コンピューティングデバイスは、前記第３のデータが前記第２のデータと同じであるか否かを判定することにより、前記第２のデータと前記第３のデータとを比較する、請求項２に記載のシステム。
【請求項４】
前記コンピューティングデバイスは、
前記第３のデータが前記第２のデータと同じであることを示す視覚的表現を提供すること、又は、
前記第３のデータが前記第２のデータと異なることを示す視覚的表現を提供することのうちの少なくとも１つにより、比較の視覚的表現を出力する、請求項３に記載のシステム。
【請求項５】
前記コンピューティングデバイスは、前記ディスプレイデバイスに、血管を表すデータタイプに関係する複数の選択肢を出力し、前記コンピューティングデバイスは、データの前記複数の選択肢のうちの少なくとも１つの選択を受信することにより、前記第３のデータを選択するユーザー入力を受信する、請求項２に記載のシステム。
【請求項６】
前記コンピューティングデバイスはさらに、前記入力デバイスから、血管を表す前記第１のデータを選択するユーザー入力に基づく信号を受信する、請求項２に記載のシステム。
【請求項７】
前記第１のデータ、前記第２のデータ、又は前記第３のデータのうちの少なくとも１つは、脈管造影図データ、蛍光透視法データ、圧力データ、流れデータ、像形成データ、疾患定量化データ、仮想組織構造データ、及びコレジストレーションデータからなる群から選択される、請求項２に記載のシステム。
【請求項８】
前記コンピューティングデバイスはさらに、前記第１のデータ、前記第２のデータ、又は前記第３のデータのうちの少なくとも１つに基づいて、血管のための前記第１の治療的介入を決定する、請求項２に記載のシステム。
【請求項９】
前記コンピューティングデバイスはさらに、前記入力デバイスから、血管のための第２の治療的介入を選択するユーザー入力に基づいて、信号を受信する、請求項８に記載のシステム。
【請求項１０】
前記コンピューティングデバイスはさらに、前記第１の治療的介入と前記第２の治療的介入とを比較するように、及び、前記ディスプレイデバイスに、前記第１の治療的介入と前記第２の治療的介入との比較の視覚的表現を出力する、請求項９に記載のシステム。
【請求項１１】
前記コンピューティングデバイスは、前記第１の治療的介入と前記第２の治療的介入とが同じであるか否かを判定することにより、前記第１の治療的介入と前記第２の治療的介入とを比較し、前記コンピューティングデバイスは、
前記第１の治療的介入と前記第２の治療的介入とが同じであることを示す視覚的表現を提供すること、又は、
前記第１の治療的介入と前記第２の治療的介入とが異なることを示す視覚的表現を提供することのうちの少なくとも１つにより、比較の視覚的表現を出力する、請求項１０に記載のシステム。
【請求項１２】
前記コンピューティングデバイスが、前記ディスプレイデバイスに、血管のための治療的介入の種類を表す複数のデータ選択肢を出力し、前記コンピューティングデバイスは、前記複数のデータ選択肢のうちの少なくとも１つの選択を受信することにより、前記第２の治療的介入を選択するユーザー入力に基づいて、信号を受信する、請求項９に記載のシステム。
【請求項１３】
前記第１の治療的介入又は前記第２の治療的介入のうちの少なくとも１つは、脈管形成、ステント留置術、及び冠動脈バイパス移植術（ＣＡＢＧ）からなる群から選択される、請求項９に記載のシステム。
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
広帯域光を送達するのに適した送達ファイバ・アセンブリであって、前記送達ファイバ・アセンブリは、微細構造を有する送達ファイバおよびコネクタ部材を備え、前記送達ファイバは、光を入射するための入力端と、光を送達するための送達端とを有し、前記送達ファイバは、コア領域と、前記コア領域を包囲するクラッド領域とを備え、前記クラッド領域は、屈折率Ｎｂｇを有するクラッド・バックグラウンド材料と、最大でＮｉｎｃの屈折率を有し、長手方向に延びる固体材料の複数の介在物とを備え、Ｎｉｎｃ＜Ｎｂｇであり、前記クラッド領域内の前記複数の介在物は、前記コア領域を包囲する介在物の少なくとも２つのリングを備える断面パターンに配置され、前記コア領域は、最大で約１５μｍの直径を有し、前記コネクタ部材は、前記送達ファイバの送達端部分において前記送達ファイバに対して取り付けられ、前記送達ファイバは、約２００ｎｍ以上の伝送帯域幅を有する、送達ファイバ・アセンブリ。
【請求項２】
前記コネクタ部材は、前記送達端に対して距離を置いて、微細構造を有する前記送達ファイバの前記送達端部分において、微細構造を有する前記送達ファイバに対して取り付けられ、したがって、前記送達端は、前記送達端を受信導波路と物理的に接触して接続するために前記コネクタ部材を通過している、請求項１に記載の送達ファイバ・アセンブリ。
【請求項３】
前記伝送帯域幅内の少なくとも１つの波長について、また、少なくとも前記送達端部分に沿って、微細構造を有する前記送達ファイバは、一定のモード・フィールド径を有する、請求項１または２に記載の送達ファイバ・アセンブリ。
【請求項４】
少なくとも前記送達端部分に沿って、微細構造を有する前記送達ファイバは、伝送波長についてモード・フィールド径範囲を有し、前記モード・フィールド径範囲は、前記範囲における最低モード・フィールド径の範囲のうちの約３０％以下である、請求項１乃至３のいずれか１項に記載の送達ファイバ・アセンブリ。
【請求項５】
前記送達ファイバは、前記伝送帯域幅内の少なくとも１つの波長についてシングル・モードである、請求項１乃至４のいずれか１項に記載の送達ファイバ・アセンブリ。
【請求項６】
前記送達ファイバは、偏波保持光ファイバ（ＰＭファイバ）であり、好ましくは、前記送達ファイバは、１つまたは複数の応力要素を備える、請求項１乃至５のいずれか１項に記載の送達ファイバ・アセンブリ。
【請求項７】
前記送達ファイバは、約０．７以下であるコア領域直径対ピッチｄ／Λを有する、請求項１乃至６のいずれか１項に記載の送達ファイバ・アセンブリ。
【請求項８】
前記クラッド領域内の前記複数の介在物は、前記コア領域を包囲する介在物の少なくとも４つのリングを備える断面パターンに配置される、請求項１乃至７のいずれか１項に記載の送達ファイバ・アセンブリ。
【請求項９】
前記送達ファイバは、シリカ・ファイバであり、前記介在物は、ダウン・ドープされたシリカを含む、請求項１乃至８のいずれか１項に記載の送達ファイバ・アセンブリ。
【請求項１０】
前記送達ファイバは、全固体ファイバであり、好ましくは、前記送達ファイバは、全シリカ・ファイバであり、前記コア領域と、前記クラッド領域と、前記介在物とのうちの１つ以上は、それぞれの屈折率に達するようにドープされる、請求項１乃至９のいずれか１項に記載の送達ファイバ・アセンブリ。
【請求項１１】
前記アセンブリは、入力端コネクタ部材をさらに備え、前記入力端コネクタ部材は、前記入力端を備え微細構造を有する前記送達ファイバの入力端部分において前記送達ファイバに対して取り付けられ、前記入力端コネクタ部材は、前記入力端を光入射ユニットと物理的に接触して接続するように構成される、請求項１乃至１０のいずれか１項に記載の送達ファイバ・アセンブリ。
【請求項１２】
光を装置に対して供給するための供給源において、
光を入射するための入力端と、光を送達するための送達端とを有する、微細構造を有する送達ファイバであって、コア領域と、前記コア領域を包囲するクラッド領域とを備え、約２００ｎｍ以上の伝送帯域幅を有し、前記コア領域は、最大で約１５μｍの直径を有し、前記クラッド領域は、屈折率Ｎｂｇを有するクラッド・バックグラウンド材料と、最大でＮｉｎｃの屈折率を有し、長手方向に延びる固体材料の複数の介在物とを備え、Ｎｉｎｃ＜Ｎｂｇであり、前記クラッド領域内の前記複数の介在物は、前記コア領域を包囲する介在物の少なくとも２つのリングを備える断面パターンに配置されている、送達ファイバと、
広帯域源またはスペクトル・エンジンと、を備え、
前記広帯域源は、
ポンプ・パルスを生成するように動作可能な光ポンプ源と、
ポンプ光の供給があると広帯域光パルスを生成するための微細構造光ファイバと、を備え、
前記光ポンプ源は、ポンプ・パルスを前記微細構造光ファイバに対して入射するように配置されており、
前記スペクトル・エンジンは、
少なくとも１つの波長と異なる波長を有するレーザ・ビームを放出する２つ以上のレーザと、
前記レーザの各々の前記レーザ・ビームの少なくとも一部を受け取り、前記受け取られた光を多重化ビームにコリメートするように構成されているマルチプレクサと、を備え、
微細構造を有する前記送達ファイバは、前記広帯域光パルスの少なくともいくつかの少なくとも一部を受け取り、前記広帯域光パルスの受け取った前記一部のうちの少なくとも一部を前記装置に対して送達するように配置されているか、前記多重化ビームを受け取り、受け取った前記多重化ビームの少なくとも一部を前記装置に対して送達するように配置されている、
供給源。
【請求項１３】
前記供給源は、モード・ロック・ファイバ・オシレータを備える、請求項１２に記載の広帯域源。
【請求項１４】
前記２つ以上のレーザから放出される前記スペクトル・エンジンの前記レーザ・ビームのうちの１つは、５００ｎｍ未満の少なくとも１つの波長を備え、前記２つ以上のレーザから放出される前記レーザ・ビームのうちの１つは、８００ｎｍを上回る少なくとも１つの波長を備える、請求項１２に記載の供給源。
【請求項１５】
前記２つ以上のレーザから放出される前記スペクトル・エンジンの前記レーザ・ビームのうちの少なくとも１つは、約５０ｎｍ以下の帯域幅を有する、請求項１２に記載の供給源。
【請求項１６】
前記装置は、好適には蛍光イメージング；蛍光寿命イメージング（ＦＬＩＭ）；全内部反射蛍光（ＴＩＲＦ）顕微鏡；蛍光共鳴エネルギー移動（ＦＲＥＴ）；パルス・インターリーブ励起促進共鳴エネルギー移動（ＰＩＥ−ＦＲＥＴ）；広帯域分光法；ナノフォトニクス；フロー・サイトメトリー；計測などの工業検査；ガス検知などのリングダウン分光法；ハイパースペクトル分光法、作物分析（たとえば果物の）、飛行時間分光法（ＴＣＳＰＣ）などの分析分光法；１分子イメージング；およびこれらの組合せのうちの１つ以上に対して適合される、請求項１２に記載の供給源。
【請求項１７】
介在物の１つのリングの前記介在物は、介在物の別のリングの前記介在物よりも高い屈折率を有するか、介在物の別のリングの前記介在物とは異なる直径を有する、請求項１に記載の送達ファイバ・アセンブリまたは請求項１２に記載の供給源。
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
メモリ電力状態遷移タイマを動的に調整するための方法であって、前記方法が、
コンピューティングデバイス内のプロセッサに結合されたメモリデバイスの使用または性能に対応する1つまたは複数のパラメータを受け取るステップであって、前記パラメータが、メモリトラフィックパターン、メモリ動作周波数、メモリトラフィック量、メモリ利用率、および電力/性能モードを含む、ステップと、
前記1つまたは複数のパラメータに基づいて、前記メモリデバイスの1つまたは複数のメモリ電力状態遷移タイマ設定値の最適値を決定するステップと、
前記メモリデバイスの前記メモリ電力状態遷移タイマ設定値の現在値を前記最適値で更新するステップと
を備える、方法。
【請求項２】
前記メモリ電力状態遷移タイマ設定値が、より低電力のメモリ状態に入るためのアイドルタイマ設定値を備える、請求項1に記載の方法。
【請求項３】
前記メモリデバイスの使用または性能に対応する前記1つまたは複数のパラメータを受け取るステップが、前記1つまたは複数のパラメータの変化を監視および検出するステップを備える、請求項1に記載の方法。
【請求項４】
前記1つまたは複数のメモリ電力状態遷移タイマ設定値の前記最適値を決定するステップが、ルックアップテーブルにアクセスして、前記1つまたは複数のパラメータに基づいて、前記最適値を決定するステップを備える、請求項1に記載の方法。
【請求項５】
前記1つまたは複数のメモリ電力状態遷移タイマ設定値の前記最適値を決定するステップが、前記最適値を平均アイドルタイマ期間に基づいて計算するステップを備える、請求項1に記載の方法。
【請求項６】
前記メモリデバイスが、ダイナミックランダムアクセスメモリ(DRAM)デバイスを備え、前記メモリ電力状態遷移タイマ設定値が、前記DRAMデバイスを低電力モードに遷移させるためのパワーダウンタイマ設定値およびページダウンタイマ設定値を備える、請求項1に記載の方法。
【請求項７】
前記1つまたは複数のメモリ電力状態遷移タイマ設定値の前記最適値を決定するステップが、複数の設定値の反復探索を備える、請求項1に記載の方法。
【請求項８】
メモリ電力状態遷移タイマを動的に調整するためのシステムであって、前記システムが、
コンピューティングデバイス内のプロセッサに結合されたメモリデバイスの使用または性能に対応する1つまたは複数のパラメータを受け取るための手段であって、前記パラメータが、メモリトラフィックパターン、メモリ動作周波数、メモリトラフィック量、メモリ利用率、および電力/性能モードを含む、手段と、
前記1つまたは複数のパラメータに基づいて、前記メモリデバイスの1つまたは複数のメモリ電力状態遷移タイマ設定値の最適値を決定するための手段と、
前記メモリデバイスの前記メモリ電力状態遷移タイマ設定値の現在値を前記最適値で更新するための手段と
を備える、システム。
【請求項９】
前記メモリ電力状態遷移タイマ設定値が、より低電力のメモリ状態に入るためのアイドルタイマ設定値を備える、請求項8に記載のシステム。
【請求項１０】
前記メモリデバイスの使用または性能に対応する前記1つまたは複数のパラメータを受け取るための前記手段が、前記1つまたは複数のパラメータの変化を監視および検出するための手段を備える、請求項8に記載のシステム。
【請求項１１】
前記1つまたは複数のメモリ電力状態遷移タイマ設定値の前記最適値を決定するための前記手段が、ルックアップテーブルにアクセスして、前記1つまたは複数のパラメータに基づいて、前記最適値を決定するための手段を備える、請求項8に記載のシステム。
【請求項１２】
前記1つまたは複数のメモリ電力状態遷移タイマ設定値の前記最適値を決定するための前記手段が、前記最適値を平均アイドルタイマ期間に基づいて計算するための手段を備える、請求項8に記載のシステム。
【請求項１３】
前記メモリデバイスが、ダイナミックランダムアクセスメモリ(DRAM)デバイスを備え、前記メモリ電力状態遷移タイマ設定値が、前記DRAMデバイスを低電力モードに遷移させるためのパワーダウンタイム設定値およびページダウンタイマ設定値を備える、請求項8に記載のシステム。
【請求項１４】
前記1つまたは複数のメモリ電力状態遷移タイマ設定値の前記最適値を決定するための前記手段が、複数の設定値を反復探索するための手段を備える、請求項8に記載のシステム。
【請求項１５】
コンピュータ可読媒体内に具体化され、プロセッサによって実行可能なコンピュータプログラムであって、請求項1から7のうちのいずれか一項に記載の方法をコンピュータに実行させるためのコンピュータプログラム。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
入力を分類するための装置であって、
分類器と、
特徴抽出器と、を備え、
前記特徴抽出器は、
前記入力から特徴ベクトルを生成することと、前記特徴ベクトルは、非ゼロ要素を備える、
前記非ゼロ要素の最も高い値を決定することと、
スパースな特徴ベクトルを生み出すために、前記特徴ベクトルのいくつかの要素をゼロに設定することと、前記最も高い値を保持することと、前記スパースな特徴ベクトルは、前記生成された特徴ベクトルと同じ次元を有し、かつ非ゼロ要素のスパース性を含み、前記特徴抽出器は、分類パフォーマンス測定基準に少なくとも部分的に基づいて、前記要素の数を決定するようにさらに構成される、
前記入力を分類するために、前記スパースな特徴ベクトルを前記分類器に送ることと、
を行うように構成される、装置。
【請求項２】
前記パフォーマンス測定基準は、分類器のレイテンシ、分類器の正確さ、分類器の速度、および／またはメモリ利用度のうちの１つを備える、請求項１に記載の装置。
【請求項３】
前記特徴抽出器は、前記パフォーマンス測定基準をオンデバイスで計算するようにさらに構成される、請求項１に記載の装置。
【請求項４】
前記特徴抽出器は、前記パフォーマンス測定基準をオフデバイスで計算するようにさらに構成される、請求項２に記載の装置。
【請求項５】
前記特徴抽出器は、保持するための前記特徴ベクトルの前記要素の数を決定するように訓練される、請求項１に記載の装置。
【請求項６】
前記特徴抽出器は、前記特徴ベクトルの低いスパース性にペナルティを科すコスト関数を使用して訓練される、請求項５に記載の装置。
【請求項７】
前記コスト関数は、Ｌ１ノルムまたはＬ０ノルムを含む、請求項６に記載の装置。
【請求項８】
前記特徴抽出器は、前記スパースな特徴ベクトルの要素を２値化するようにさらに構成される、請求項１に記載の装置。
【請求項９】
前記特徴抽出器は、前記スパースな特徴ベクトルの要素を量子化するようにさらに構成される、請求項１に記載の装置。
【請求項１０】
前記最も高い値は、前記特徴ベクトルの上位の割合の絶対値、正の値、または負の値を備える、請求項１に記載の装置。
【請求項１１】
入力を分類するための、コンピュータによってインプリメントされる方法であって、
前記入力から特徴ベクトルを生成することと、前記特徴ベクトルは、非ゼロ要素を備える、
前記非ゼロ要素の最も高い値を決定することと、
スパースな特徴ベクトルを生み出すために、前記特徴ベクトルのいくつかの要素をゼロに設定することと、前記最も高い値を保持することと、前記スパースな特徴ベクトルは、前記生成された特徴ベクトルと同じ次元を有し、かつ非ゼロ要素のスパース性を含み、特徴抽出器は、分類パフォーマンス測定基準に少なくとも部分的に基づいて、前記要素の数を決定するようにさらに構成される、
前記入力を分類するために、前記スパースな特徴ベクトルを分類器に送ることと、
を備える、コンピュータによってインプリメントされる方法。
【請求項１２】
（i）前記パフォーマンス測定基準をオンデバイスで計算すること、
（ii）前記パフォーマンス測定基準をオフデバイスで計算すること、
（iii）保持するための前記特徴ベクトルの前記要素の数を決定すること、
（iv）決定することは、前記特徴ベクトルの低いスパース性にペナルティを科すコスト関数を使用して特徴抽出器を訓練することを備えること、
（v）前記スパースな特徴ベクトルの要素を２値化すること、
（vi）前記スパースな特徴ベクトルの要素を量子化すること、
（vii）ここにおいて、前記パフォーマンス測定基準は、分類器のレイテンシ、分類器の正確さ、分類器の速度、および／またはメモリ利用度のうち１つを備える、または
（viii）前記最も高い値は、前記特徴ベクトルの上位の割合の絶対値、正の値、または負の値を備える、
のうちの１つをさらに備える、請求項１１に記載のコンピュータによってインプリメントされる方法。
【請求項１３】
オプション（iv）前記コスト関数は、Ｌ１ノルムまたはＬ０ノルムを含む、請求項１２に記載のコンピュータによってインプリメントされる方法。
【請求項１４】
入力を分類するための装置であって、
前記入力から特徴ベクトルを生成するための手段と、前記特徴ベクトルは、非ゼロ要素を備える、
前記非ゼロ要素の最も高い値を決定するための手段と、
スパースな特徴ベクトルを生み出すために、前記特徴ベクトルのいくつかの要素をゼロに設定し、前記最も高い値を保持するための手段と、前記スパースな特徴ベクトルは、前記生成された特徴ベクトルと同じ次元を有し、かつ非ゼロ要素のスパース性を含み、特徴抽出器は、分類パフォーマンス測定基準に少なくとも部分的に基づいて、前記要素の数を決定するようにさらに構成される、
前記入力を分類するために、前記スパースな特徴ベクトルを分類器に送るための手段と、
を備える、装置。
【請求項１５】
その上に符号化された、入力を分類するためのプログラムコードを有する非一時的なコンピュータ読み取り可能な媒体であって、前記プログラムコードは、プロセッサによって実行され、
前記入力から特徴ベクトルを生成するためのプログラムコードと、前記特徴ベクトルは、非ゼロ要素を備える、
前記非ゼロ要素の最も高い値を決定するためのプログラムコードと、
スパースな特徴ベクトルを生み出すために、前記特徴ベクトルのいくつかの要素をゼロに設定し、前記最も高い値を保持するためのプログラムコードと、前記スパースな特徴ベクトルは、前記生成された特徴ベクトルと同じ次元を有し、かつ非ゼロ要素のスパース性を含み、特徴抽出器は、分類パフォーマンス測定基準に少なくとも部分的に基づいて、前記要素の数を決定するようにさらに構成される、
前記入力を分類するために、前記スパースな特徴ベクトルを分類器に送るためのプログラムコードと、
を備える、非一時的なコンピュータ読み取り可能な媒体。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
クロミナンスからルミナンス（Ｙ）を分ける色空間で表される色に関連付けられたピクセルにより定義されるデジタル画像（１１２）から、拡張ダイナミックレンジ画像を提供する方法であって、
ピクセルｐのルミナンス値毎に、特に前記ピクセルの拡張指数値Ｅ（ｐ）を、
−前記ピクセルｐの周囲のピクセルブロックＢｐ内のエッジ及び／又は勾配を表すエッジ／勾配値Ｍ（ｐ）が、前記ブロックＢｐのエリアが平滑であるように低い場合、前記ルミナンス値Ｙ（ｐ）のローパスフィルタリングルミナンス値Ｙｂａｓｅ（ｐ）に、
−前記ピクセルｐの周囲のピクセルブロックＢｐ内のエッジ及び／又は勾配を表すエッジ／勾配値Ｍ（ｐ）が、前記ブロックＢｐ内にエッジがあるようなエッジ／勾配閾値τ以上である場合、前記ルミナンス値Ｙ（ｐ）自体に、又は
−前記ピクセルｐの周囲のピクセルブロックＢｐ内のエッジ及び／又は勾配を表すエッジ／勾配値Ｍ（ｐ）が、前記エッジ／勾配閾値τに劣る場合、任意の他のエッジ／勾配値Ｍ（ｐ）の前記ルミナンス値Ｙ（ｐ）と前記ルミナンス値Ｙ（ｐ）のローパスフィルタリングルミナンス値Ｙｂａｓｅ（ｐ）との加重結合に
適用することにより、前記画像のピクセルのルミナンス値Ｙ（ｐ）を逆トーンマッピングすること（３６０）と、
前記逆トーンマッピングされたルミナンス値に基づいて、拡張ダイナミックレンジ画像（１２２）を提供すること（１０６）と
を含み、
前記加重結合での重みは、前記ブロックＢｐ内のエッジ及び／又は勾配を表す前記エッジ／勾配値Ｍ（ｐ）に比例する、方法。
【請求項２】
前記ピクセルの周囲のエッジ及び／又は勾配を表す前記エッジ／勾配値Ｍ（ｐ）は、エッジ検出アルゴリズムを前記ピクセルの周囲のピクセルに適用することにより得られる、請求項１に記載の拡張ダイナミックレンジ画像を提供する方法。
【請求項３】
前記エッジ検出アルゴリズムは、前記周囲ピクセルのローパスフィルタリングルミナンス値Ｙｂａｓｅ（ｐ）に適用される、請求項２に記載の拡張ダイナミックレンジ画像を提供する方法。
【請求項４】
前記結合は合算である、請求項１から３のいずれか一項に記載の拡張ダイナミックレンジ画像を提供する方法。
【請求項５】
クロミナンスからルミナンス（Ｙ）を分ける色空間で表される色に関連付けられたピクセルにより定義されるデジタル画像から、拡張ダイナミックレンジ画像を提供する装置であって、請求項１から４のいずれか一項に記載の方法を実施するように構成される処理ユニットを含む、装置。
【請求項６】
請求項１から４のいずれか一項に記載の方法を実行するように実行可能なコンピュータ実行可能命令を記憶する非一時的コンピュータ可読媒体。
【手続補正２】
【補正対象書類名】明細書
【補正対象項目名】００８１
【補正方法】変更
【補正の内容】
【００８１】
本発明を特定の例及び好ましい実施形態に関して説明したが、本発明がこれらの例及び実施形態に限定されないことが理解される。したがって、特許請求の範囲に記載される本発明は、当業者に明らかであるように、本明細書に記載される特定の例及び好ましい実施形態からの変形を含む。特定の実施形態の幾つかは別個に説明され請求項に記載し得るが、本明細書で説明され請求項に記載される様々な特徴が組み合わせて使用可能なことが理解される。請求項に現れる参照番号は、単なる例示としてのものであり、特許請求の範囲に対して制限効果を持たないものとする。
（付記１）
クロミナンスからルミナンス（Ｙ）を分ける色空間で表される色に関連付けられたピクセルにより定義されるデジタル画像（１１２）から、拡張ダイナミックレンジ画像を提供する方法であって、
前記画像のピクセルのルミナンス値Ｙ（ｐ）を逆トーンマッピングすること（３６０）と、
前記逆トーンマッピングされたルミナンス値に基づいて、拡張ダイナミックレンジ画像（１２２）を提供すること（１０６）と、を含み、
少なくとも１つのピクセルのルミナンス値Ｙ（ｐ）の前記逆トーンマッピング（３６０）は、前記デジタル画像での前記少なくとも１つのピクセルの周囲のエッジ及び／又は勾配を表す情報Ｍ（ｐ）に基づく、方法。
（付記２）
前記少なくとも１つのピクセルの周囲のエッジ及び／又は勾配を表す前記情報Ｍ（ｐ）は、エッジ検出アルゴリズムを前記少なくとも１つのピクセルの周囲のピクセルに適用することにより得られる、付記１に記載の拡張ダイナミックレンジ画像を提供する方法。
（付記３）
前記エッジ検出アルゴリズムは、前記周囲ピクセルのローパスフィルタリングルミナンス値Ｙｂａｓｅ（ｐ）に適用される、付記２に記載の拡張ダイナミックレンジ画像を提供する方法。
（付記４）
ピクセルの前記逆トーンマッピングは、前記ピクセルの拡張指数値Ｅ（ｐ）を前記ピクセルの前記ルミナンス値Ｙ（ｐ）に適用することを含む、付記１から３のいずれか一項に記載の拡張ダイナミックレンジ画像を提供する方法。
（付記５）
前記少なくとも１つのピクセルの周囲のエッジ及び／又は勾配を表す情報Ｍ（ｐ）に基づく、前記少なくとも１つのピクセルの前記逆トーンマッピング（３６０）は、前記少なくとも１つのピクセルの拡張指数値Ｅ（ｐ）を前記少なくとも１つのピクセルのローパスフィルタリングルミナンスＹｂａｓｅ（ｐ）と前記ルミナンスＹ（ｐ）との加重結合に適用することを含み、前記ローパスフィルタリングルミナンスＹｂａｓｅ（ｐ）に割り当てられる重みは、前記少なくとも１つのピクセルの周囲のエッジ及び／又は勾配を表す値Ｍ（ｐ）に比例し、前記ルミナンスＹ（ｐ）に割り当てられる重みは、前記少なくとも１つのピクセルの周囲のエッジ及び／又は勾配を表す前記値Ｍ（ｐ）に反比例する、付記４に記載の拡張ダイナミックレンジ画像を提供する方法。
（付記６）
前記結合は合算である、付記５に記載の拡張ダイナミックレンジ画像を提供する方法。
（付記７）
前記少なくとも１つのピクセルの周囲のエッジ及び／又は勾配を表す値Ｍ（ｐ）は、閾値τ以上である、付記６に記載の拡張ダイナミックレンジ画像を提供する方法。
（付記８）
クロミナンスからルミナンス（Ｙ）を分ける色空間で表される色に関連付けられたピクセルにより定義されるデジタル画像から、拡張ダイナミックレンジ画像を提供する装置であって、付記１から７のいずれか一項に記載の方法を実施するように構成される処理ユニットを含む、装置。
（付記９）
付記１から７のいずれか一項に記載の方法を実行するように実行可能なコンピュータ実行可能命令を記憶する非一時的コンピュータ可読媒体。
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
パーソナルケア器具の電源コネクタのための安全スイッチ装置であって、前記安全スイッチ装置は：
−  ハウジング部分と、
−  コネクタレセプタクルを有する電源コネクタユニットと、
−  動作スイッチと、
−  作動部分と、を有し、
前記作動部分は、前記ハウジング部分に取り付けられ、第１の状態と第２の状態との間で動かされるように構成され、
前記電源コネクタユニットは、前記ハウジング部分に配置され、
前記作動部分は、前記第１の状態において、前記パーソナルケア器具の動作を可能にし且つ前記コネクタレセプタクルとの接触を防止し、
前記動作スイッチは、前記第１の状態において前記作動部分によってスイッチオンされ、
前記作動部分は、第２の状態において、前記パーソナルケア器具の動作を防止し且つ前記コネクタレセプタクルとの接触を可能にし、
前記作動部分は、前記第１の状態において前記コネクタレセプタクルの挿入凹部を少なくとも部分的に覆うことによって、前記第１の状態において前記コネクタレセプタクルへのコネクタプラグのアクセスをブロックし、前記作動部分は、前記第２の状態において前記コネクタレセプタクルへの前記コネクタプラグのアクセスを可能にする、
安全スイッチ装置。
【請求項２】
前記コネクタプラグが前記コネクタレセプタクルに係合するとき、前記作動部分は前記第２の状態で固定される、
請求項１に記載の安全スイッチ装置。
【請求項３】
前記動作スイッチの第１の接点要素が前記ハウジング部分に取り付けられ、前記動作スイッチの第２の接点要素が前記作動部分に取り付けられ、前記作動部分の前記第１の状態において、前記第１の接点要素及び前記第２の接点要素は互いに接触し、前記作動部分の前記第２の状態において、前記第１の接点要素及び前記第２の接点要素は互いに離間する、
請求項１又は２に記載の安全スイッチ装置。
【請求項４】
前記第２の接点要素は、前記作動部分の周壁に配置される接点ばねの一部を形成する、
請求項３に記載の安全スイッチ装置。
【請求項５】
前記作動部分は、前記第１の状態と前記第２の状態との間で、前記ハウジング部分に対して、その長手方向軸の周りに、回転されるように構成される、
請求項１乃至４のいずれか１項に記載の安全スイッチ装置。
【請求項６】
前記作動部分は、前記第１の状態において前記コネクタレセプタクルをロックし、前記作動部分は、前記第２の状態において前記コネクタレセプタクルをロック解除する、
請求項１乃至５のいずれか１項に記載の安全スイッチ装置。
【請求項７】
前記作動部分は、前記ハウジング部分の延長部として構成され、前記作動部分は、グルーミングユニットを受けるように構成される上端部の反対側である前記ハウジング部分の底端部に配置される、
請求項１乃至６のいずれか１項に記載の安全スイッチ装置。
【請求項８】
前記作動部分は、少なくとも前記作動部分と前記ハウジング部分が互いに接触する接触領域において、前記ハウジング部分の周方向延長部に実質的に対応する周方向延長部を有する、
請求項１乃至７のいずれか１項に記載の安全スイッチ装置。
【請求項９】
前記作動部分はカップ状に構成され、その開放端部は前記ハウジング部分に面し、その底壁は前記ハウジング部分から離れる方に面し、挿入開口部が前記底壁に形成され、前記挿入開口部は、前記作動部分の前記第２の状態において前記コネクタレセプタクルと位置合わせされるとともに前記作動部分の前記第１の状態において前記コネクタレセプタクルに対して向きがずれた開口を画定する、
請求項１乃至８のいずれか１項に記載の安全スイッチ装置。
【請求項１０】
前記作動部分は、前記第１の状態と前記第２の状態との間で前記作動部分を取り扱い且つ動作させるための把持機構を有する把持部を備える、
請求項１乃至９のいずれか１項に記載の安全スイッチ装置。
【請求項１１】
前記ハウジング部分及び前記作動部分は、前記ハウジング部分における前記作動部分の確動嵌合取り付け、捩りロック取り付けを可能にする取り付け機構を有し、前記取り付け機構は、前記作動部分と前記ハウジング部分との間の相対運動に対するリミットストップを画定するように協働する、
請求項１乃至１０のいずれか１項に記載の安全スイッチ装置。
【請求項１２】
パーソナルケア器具、特にヘアグルーミング器具であって、前記器具は、処置ユニット、特にグルーミングユニットを受けるように構成されるハウジングと、前記ハウジング内に収容されるエフェクタユニット、特にモータと、請求項１乃至１１のいずれか１項に記載の安全スイッチ装置と、を有し、前記作動部分の前記第１の状態において、前記器具は、パーソナルケア処置のために動作可能であり、前記作動部分の前記第２の状態において、前記器具のパーソナルケア処置動作が防止される、器具。
【請求項１３】
前記コネクタレセプタクルを介して再充電されるように構成されるバッテリユニットをさらに有し、処置状態の動作及び再充電状態の動作が、前記作動部分の実際の状態に応じて、互いに排他的である、
請求項１２に記載の器具。
【請求項１４】
前記電源コネクタユニットは、電源アダプタに結合されるように構成され、前記電源アダプタは、前記作動部分の前記第２の状態においてのみ前記コネクタレセプタクルと係合するように構成されるコネクタプラグを有し、前記器具は、濡れた環境又は湿った環境で動作するように構成される、
請求項１２又は１３に記載の器具。